(57)【特許請求の範囲】
【請求項１】
所望の釣りポイントの潮上において、船首側に錨を繋げて当該錨を海底に投げ込むことにより船首を潮上に向けさせた上で、
船尾側に、凹面底部に潮抜き孔を備えた傘状乃至はパラシュート状乃至は椀状の抵抗体を凹面が潮上を向くように取り付けて海中に投げ込むことにより、船体が横風を受けた場合でも船体が風下方向に流れるのを防止する
ことを特徴とするフカセ釣りの為の船体安定方法。
【請求項２】
請求項１において、
前記潮抜き孔の大きさが調整可能とされている
ことを特徴とするフカセ釣りの為の船体安定方法。
【請求項３】
請求項１において、
前記抵抗体は、布材で構成されると共に、前記潮抜き孔近傍に引き上げロープが取り付けられている
ことを特徴とするフカセ釣りの為の船体安定方法。
【発明の詳細な説明】
【技術分野】
【０００１】
本発明は、釣りの分野に関し、特に詳しくは船を使ってフカセ釣りを行う際の船体の安定方法に関する。
【背景技術】
【０００２】
「フカセ釣り」とは、もともとは、仕掛けに「浮き」を使用せずにハリ、糸、更にはエサ等の重さを利用し、潮の流れに乗せて仕掛けを海中に漂わせる（フカセる）ことによって魚を誘引する釣り手法のことである。その後、仕掛けの一部に「浮き」を利用する浮きフカセ釣りが広がり、現在「フカセ釣り」といえば、従来からの「完全フカセ釣り」と「浮きフカセ釣り」の両方を意味する言葉として、釣りユーザーに親しまれているところである（特許文献１参照）。
【０００３】
例えばこの「フカセ釣り」は、釣り船を使って船釣りとして行う場合もあり、その場合は図４に示した態様で行われる。図４（ａ）は、船を使ってフカセ釣りを行っている状況を横方向から捉えた図であり、同図（ｂ）は、上方から捉えた図である。
【０００４】
船でフカセ釣りを行う場合、魚が居ると思われる場所（以下「釣りポイント３０」という。）の潮上に船体１０を置き、そこから釣りポイント３０の位置する潮下側に、釣竿１８と釣糸２０を使用して仕掛２２を潮に乗せて海中に漂わせて（フカセて）行われる。この時、船首側には錨１２が錨用ロープ１４によって繋がれており、その錨１２が海底に投げ込まれて船体が潮に流されて移動しないようにされている。このように錨１２で固定しておかないと、仕掛２２が漂う位置が釣りポイント３０から外れてしまい、所望の釣果が得られないからである。
【先行技術文献】
【特許文献】
【０００５】
【特許文献１】特許第４０３９９７６号公報
【発明の概要】
【発明が解決しようとする課題】
【０００６】
しかしながら、錨１２を海底に投げ込む事によって、潮の流れ方向に対しては船体１０を固定する事ができるが、船体１０に対して一定程度以上の横風が吹いた場合は問題が生じていた。即ち、図５に示しているように、一定程度以上の横風が船体１０に当たると、その横風によって、船体１０は錨１２が投げ込まれている点を中心に回転するように潮の流れに対して横方向に移動させられるので、仕掛２２が漂う位置が釣りポイント３０から外れてしまうのである。
【０００７】
そこで本発明は、船でフカセ釣りを行う場合において、船体が横風を受けた場合でも、船体の横流れを防止することができる船体の安定方法を提供する事をその課題としている。
【課題を解決するための手段】
【０００８】
上記課題を解決するべく、本願発明は、所望の釣りポイントの潮上において、船首側に錨を繋げて当該錨を海底に投げ込むことにより船首を潮上に向けさせた上で、船尾側に、凹面底部に潮抜き孔を備えた傘状乃至はパラシュート状乃至は椀状の抵抗体を凹面が潮上を向くように取り付けて海中に投げ込むことにより、船体が横風を受けた場合でも船体が風下方向に流れるのを防止している。
【０００９】
船尾側に上記のような形状の抵抗体を上記のような態様で取り付けて海中に投げ込む事によって、当該抵抗体が潮の流れを受け、船尾を潮下側に引っ張る力が発揮される。即ち、船首側の錨と船尾側の抵抗体によって、潮上側と潮下側の両方から船体が引っ張られた状態となるので、船体が横風を受けた場合でも、船体が横流れするのを防止することができるのである。また、傘状乃至はパラシュート状乃至は椀状の抵抗体の凹面底部には、潮抜き孔が形成されているので、この潮抜き孔を介して常にある程度の海水が抜けるので、潮の流れの中で、当該抵抗体が傾いたり揺れたり等不安定になることが少なく、凹面を安定的に潮上側に向かせ、その結果として安定して船尾側を引っ張ることが可能となっている。
【００１０】
また、潮抜き孔の大きさを調整可能に構成してもよい。
【００１１】
このように構成すれば、潮の流れの速さに応じて潮抜き孔から抜ける海水の量を調整することができるので、船尾側から船体を引っ張る力を調整し、潮の流れの変化に柔軟に対応することが可能となる。
【００１２】
また、抵抗体を、布材で構成すると共に、潮抜き孔近傍に引き上げロープが取り付ける構成を採用することが望ましい。
【００１３】
このような構成を採用することによって、抵抗体の引き上げが容易となっている。即ち、海水を受けて引っ張られている状態の抵抗体にはかなりの引っ張り力が働いているので、人力で引き上げるのは大変な作業となる。しかし抵抗体を布材で構成した上で、潮抜き孔の近傍に引き上げロープを取り付けておくことによって、このロープを引っ張ることで、恰も傘が強風を受けて反り返るように、潮下方向に凹面を向けたような形状から更に傘が閉じたような形状となるので、人力でも容易に引き上げることが可能となっている。  
【発明の効果】
【００１４】
本発明を適用することで、船でフカセ釣りを行う場合において、船体が横風を受けた場合でも、船体の横流れを防止することができる。
【図面の簡単な説明】
【００１５】
【図１】船を使ってフカセ釣りを行う際に、本発明に係る船体の安定方法を用いて船体を安定させている状態を示した図であって、（ａ）は横方向から捉えた図、図（ｂ）は上方から捉えた図である。
【図２】本発明に係る船体の安定方法に用いる抵抗体の一例を示した概略構成図であって、（ａ）が正面図、（ｂ）が側面図である。
【図３】抵抗体に備わる潮抜き孔の開閉状態を示した図であって、（ａ）が開いている状態を示した図、（ｂ）が閉じている状態を示した図である。
【図４】船を使ってフカセ釣りを行っている状況を示した図であって、（ａ）は横方向から捉えた図、図（ｂ）は上方から捉えた図である。
【図５】図４（ｂ）に相当する図であって、横風により船体が風下に流された状態を示した図である。
【発明を実施するための形態】
【００１６】
以下、添付図面を参照しつつ、本発明の実施形態の一例である船体安定方法について説明を加える。なお、図面理解容易の為、各部の大きさや寸法を誇張して表現している部分があり、実際と必ずしも一致しない部分があることを付記しておく。また各図面は符号の向きに見るものとし、当該向きを基本に上下左右、手前、奥と表現する。
【００１７】
〈本発明に係る船体安定方法に使用する抵抗体の構造〉
本発明に係る船体安定方法を実施するにあたって、必要となる道具は錨１２と抵抗体１００の２点である。錨１２に関しては、従来から広く一般に用いられているものをそのまま利用すればよいので、構造等の説明は省略する。もちろん、船体の大きさ等に合わせて、錨１２の種類や大きさは適切なものを選択すればよい。
【００１８】
本発明に係る船体安定方法に使用する抵抗体として、図２にその一例を示している。ここで示している抵抗体は、略傘型に形成されており、傘でいうところの「露先」の部分に細めのロープで構成されたステー１２２が繋がれており、そのステー１２２が複数纏められて抵抗用ロープ１２０に繋がっている。
【００１９】
抵抗体１００は、図２（ａ）に示しているように、正面視すると中央に円形の穴（潮抜き孔１１２）が形成された略八角形に形成される。それぞれの頂点部分から潮抜き孔１１２に向かって直線的に補強部材１０６が縫い付けられて補強されている。この補強部材１０６は基布１０２の両面側に備わっており、正面視中央の潮抜き孔１１２の部分と外周端の部分のそれぞれで少し飛び出すように、且つ両面側の補強部材１０６が繋がって輪状（リング状）となるように構成されている。その結果、潮抜き孔１１２側には８つの調整ロープ挿通輪１０８が形成され、外周側には８つのステー係止輪１０４が形成される。
【００２０】
調整ロープ挿通輪１０８には、調整ロープ１１０が挿通されている。図３に示しているように、この調整ロープ１１０の長さを調整することによって、潮抜き孔１１２の大きさ（広がり具合）を調整することが可能となっている。一方、外周側のステー係止輪１０４には、それぞれ一本のステーが繋がれている。
【００２１】
なお、基布１０２は、本実施形態ではポリアミド合成繊維（例えばナイロン（登録商標））によって構成されている。
【００２２】
〈本発明に係る船体安定方法の手順〉
最初に、釣りを行いたい釣りポイント３０を決定し、その釣りポイント３０の潮上に船体１０を移動させる。その位置で、船首側から錨１２を海底に投げ込み、船体１０が潮の流れに乗って潮下に移動しないように係留する。
【００２３】
その後、船尾側から抵抗体１００を海中に向かって投げ入れる。船尾から抵抗体迄の距離（即ち抵抗体用ロープ１２０の長さ）は、取り付ける船体の大きさや潮の流れ等によって適宜調整すればよいが、あまり長くしてしまうと釣りの仕掛２２と絡まる等の問題が生じやすくなるため、可能な限り短めに設定するのが望ましい。投げ入れられた抵抗体１００は、潮の流れを受けて傘状に広がると共に、受けた水流によって船尾を潮下側に引っ張り続ける。
【００２４】
このように、本願発明は、所望の釣りポイント３０の潮上において、船首側に錨１２を繋げて当該錨１２を海底に投げ込むことにより船首を潮上に向けさせた上で、船尾側に、凹面底部に潮抜き孔１１２を備えた抵抗体１００を凹面が潮上を向くように取り付けて海中に投げ込むことにより、船体１０が横風を受けた場合でも船体が風下方向に流れるのを防止するのである。
【００２５】
船尾側に上記のような形状の抵抗体１００を上記のような態様で取り付けて海中に投げ込む事によって、当該抵抗体１００が潮の流れを受け、船尾を潮下側に引っ張る力が発揮される。即ち、船首側の錨１２と船尾側の抵抗体１００によって、潮上側と潮下側の両方から船体１０が引っ張られた状態となるので、船体１０が横風を受けた場合でも、船体１０が横流れするのを防止することができるのである。また、抵抗体１００の凹面底部には、潮抜き孔１１２が形成されているので、この潮抜き孔１１２を介して常にある程度の海水が抜けるので、潮の流れの中で、当該抵抗体１００が傾いたり揺れたり等不安定になることが少なく、凹面を安定的に潮上側に向かせ、その結果として安定して船尾側を引っ張ることが可能となっている。
【００２６】
また、潮抜き孔１１２の大きさは調整可能とされているので、潮の流れの速さに応じてこの潮抜き孔１１２から抜ける海水の量を調整することができる。即ち、船尾側から船体を引っ張る力を調整し、潮の流れの変化に柔軟に対応することが可能となっているのである。
【００２７】
また、図示はしていないが、潮抜き孔１１２近傍に引き上げロープ（ステー１１２や抵抗体用ロープ１１２とは別のロープ）が取り付けられている。
【００２８】
このような構成を採用することによって、抵抗体１００の引き上げが容易となっている。即ち、海水を受けて引っ張られている状態の抵抗体１００にはかなりの引っ張り力が働いているので、人力で引き上げるのは大変な作業となる。しかし抵抗体１００をポリアミド合成繊維等の布材で構成した上で、潮抜き孔１１２の近傍に引き上げロープを取り付けておくことによって、このロープを引っ張ることで、恰も傘が強風を受けて反り返るように、潮下方向に凹面を向けたような形状から更に傘が閉じたような形状となるので、人力でも容易に引き上げることが可能となっている。この効果は、潮抜き孔１１２が形成されており、この潮抜き孔１１２から海水が抜けることが可能であり且つこの潮抜き孔１１２の近傍に引き上げロープを取り付けているからこそ実現できる効果である。潮抜き孔１１２が形成されていない場合は、同じ位置に引き上げロープを取り付けても、引き上げるにあたって相当の力が必要となる。
【００２９】
〈その他の構成例〉
なお上記では、抵抗体１００は、ポリアミド合成繊維で構成された傘状の部材として構成されているが、この形状に限定されるものではない。その他にもパラシュート形状、椀型等のいわゆる全体が凹形に構成され、効率よく海水の抵抗を受けることができる形状である限り、広く採用することが可能である。
【００３０】
また、布材のように柔軟性を有する素材でなくともよく、全体又はその一部を、樹脂や木材更には金属等で構成することを除外する趣旨ではない。
【００３１】
また、上記行った説明では、船尾に１つの抵抗体が備わっていたが、必要に応じて複数の抵抗体を利用してもよい。この時複数の抵抗体を直接的に配置したり、並列的に配置することも自由である。
【符号の説明】
【００３２】
１０・・・船体
１２・・・錨
１４・・・錨用ロープ
１６・・・釣り人
１８・・・釣竿
２０・・・釣糸
２２・・・仕掛け
３０・・・釣りポイント
１００・・・抵抗体
１０２・・・基布
１０４・・・ステー係止輪
１０６・・・補強部材
１０８・・・調整ロープ挿通輪
１１０・・・調整ロープ
１１２・・・潮抜き孔
１２０・・・抵抗体用ロープ
１２２・・・ステー
【図１】
0006371677.tif 000002
【図２】
0006371677.tif 000003
【図３】
0006371677.tif 000004
【図４】
0006371677.tif 000005
【図５】
0006371677.tif 000006